(57)【要約】      （修正有）【課題】３次元立体像を表示する３次元表示物体において、観察者の視線位置がずれても、連続的な奥行き位置表現を可能にし、それによって観察位置の範囲を広くする。【解決手段】観察者に近い第１の表示面に表示される第１の表示対象物の２次元画像は、前記第１の表示面と前記観察者から遠い第２の表示面との間の表示面間隔に比例した幅を持つ輪郭線領域を有し、前記輪郭線領域は、前記輪郭線領域の内部の画像と、前記輪郭線領域との境界部分が前記輪郭線領域の内部の画像の色と同じであり、かつ、外側に向かって単調に透明度が増加しており、前記第２の表示面に表示される第２の表示対象物の２次元画像は、前記表示面間隔に比例した幅と、前記表示面間隔と所定の視域角の正接の積に比例した幅の和の幅を持つ輪郭線領域を有し、当該輪郭線領域の色は、前記輪郭線領域の内部の画像の色と等しい。【選択図】図９
2010128450.tif 000002
【特許請求の範囲】
【請求項１】
第１の２次元画像と第２の２次元画像の２つの２次元画像を、任意の奥行き幅を持たせて重ねて表示することにより、３次元立体像を表示する３次元表示物体であって、
観察者に近い第１の表示面に表示される前記第１の表示対象物の２次元画像は、前記第１の表示面と前記観察者から遠い第２の表示面との間の表示面間隔に比例した幅を持つ輪郭線領域１を有し、
前記輪郭線領域１は、前記輪郭線領域１の内部の画像と前記輪郭線領域１との境界部分が前記輪郭線領域１の内部の画像の色と同じであり、かつ、外側に向かって単調に透明度が増加しており、
前記第２の表示面に表示される前記第２の表示対象物の２次元画像は、前記表示面間隔に比例した幅と、前記表示面間隔と所定の視域角の正接の積に比例した幅の和の幅を持つ輪郭線領域２を有し、
当該輪郭線領域２の色は、前記輪郭線領域１の内部の画像の色と等しいことを特徴とする３次元表示物体。
【請求項２】
請求項１に記載の３次元表示物体における、第１の表示面に表示される第１の２次元画像と第２の表示面に表示される第２の２次元画像とを作成する３次元画像作成装置であって、
表示対象物の画像を取り込む図形画像データ入力手段と、
前記第１の表示面と前記第２の表示面との間の表示面間隔と、表示する視域角とを入力して保持するデータ入力手段と、
前記表示面間隔に比例した値を図形輪郭線幅とする図形輪郭線幅決定手段と、
前記表示対象物の画像の輪郭線の幅を前記図形輪郭線幅とした、輪郭線領域１を有する画像を生成する図形画像生成手段１と、
前記図形画像生成手段１で生成した前記画像の前記輪郭線領域１の透明度を外側に向かって単調に増加させた、輪郭線領域１にグラデーションを設けた画像を生成する図形画像生成手段２と、
前記表示面間隔と前記視域角の正接の積に比例した値を、前記第１の２次元画像の画像サイズに対する前記第２の２次元画像の画像サイズのずれ幅とする図形幅ずれ幅決定手段と、
前記図形画像生成手段１で生成した前記画像の輪郭線領域として、前記輪郭線領域１に前記図形幅ずれ幅決定手段で決定した前記ずれ幅を加えた輪郭線領域２を有し、かつ、前記輪郭線領域２の色を前記図形画像生成手段１で生成した前記画像の前記輪郭線領域１の内部の画像の色と等しくした、輪郭線領域２を有する画像を生成する図形画像生成手段３と、
前記図形画像生成手段２で生成した前記輪郭線領域１にグラデーションを設けた画像を前記第１の２次元画像として出力し、前記図形画像生成手段３で生成した前記輪郭線領域２を有する画像を前記第２の２次元画像として出力する出力手段とを具備することを特徴とする３次元画像作成装置。
【請求項３】
請求項１に記載の３次元表示物体における、第１の表示面に表示される第１の２次元画像と第２の表示面に表示される第２の２次元画像とを作成する３次元画像作成方法であって、
表示対象物の画像と、前記第１の表示面と前記第２の表示面との間の表示面間隔と、表示する視域角とを取り込んで保持する第１のステップと、
前記表示面間隔に比例した値を図形輪郭線幅とする第２のステップと、
前記表示対象物の画像の輪郭線の幅を前記図形輪郭線幅とした、輪郭線領域１を有する画像を生成する第３のステップと、
前記第３のステップで生成した前記画像の輪郭線領域１の透明度を外側に向かって単調に増加させた、輪郭線領域１にグラデーションを設けた画像を生成する第４のステップと、
前記第４のステップで生成した画像を、第１の２次元画像として出力する第５のステップと、
前記表示面間隔と前記視域角の正接の積に比例した値を、前記第１の２次元画像の画像サイズに対する前記第２の２次元画像の画像サイズのずれ幅とする第６のステップと、
前記第３のステップで生成した前記画像の輪郭線領域として、前記輪郭線領域１に前記第６のステップで決定した前記ずれ幅を加えた輪郭線領域２を有し、かつ、前記輪郭線領域２の色を前記第３のステップで生成した前記画像の前記輪郭線領域１の内部の画像の色と等しくした、輪郭線領域２を有する画像を生成する第７のステップと、
前記第７のステップで生成した画像を、第２の２次元画像として出力する第８のステップとを有することを特徴とする３次元画像作成方法。
【請求項４】
請求項３に記載の３次元画像作成方法をコンピュータに実行させるためのプログラム。
【発明の詳細な説明】
【技術分野】
【０００１】
本発明は、３次元表示物体、３次元画像作成装置、３次元画像作成方法およびプログラムに係り、特に、表示対象物体を観察者の視線方向から射影した２次元画像を、任意の奥行き幅を持たせて重ねて表示することにより、３次元立体像を表示する技術である。
【背景技術】
【０００２】
奥行き位置を知覚できる３次元表示方法については様々な提案がなされているが、複数の２次元画像を重ね合わせることにより、３次元立体像を表示するＤＦＤ（Depth-Fused-3D）方式の３次元表示方法は、長時間見ても比較的疲れにくく、自然な立体像を知覚できることから注目を集めている。（下記、特許文献１参照）
図１１に、ＤＦＤ方式の３次元表示方法の表示原理を示す。
ＤＦＤ方式の３次元表示方法では、観察者１００１から見て異なった奥行き位置にある複数の表示面（１００２，１００３）（表示面１００２が表示面１００３よりも観察者１００１に近い）に対して、表示対象物体を観察者の視線方向から射影した２次元画像を生成し、生成された２次元画像（１００４，１００５）の輝度を各表示面毎に各々独立に変化させて、複数の表示面（１００２，１００３）に表示することにより、連続的に奥行き表現が可能な３次元立体像１００８を表示する。
複数の表示面に表示する２次元画像（１００４，１００５）は、観察者の右眼と左眼とを結ぶ線上の一点から見て重なるように表示面に表示する。
【０００３】
図１２に、ＤＦＤ方式の３次元表示方法において、輝度の変化による３次元立体像の位置変化を示す。
例えば、図１２において、複数の表示面のうち観察者１００１に近い表示面１００２に表示する２次元画像（１０４３）の輝度を高くし、観察者１００１から遠い表示面１００３に表示する２次元画像（１０５３）の輝度を低くすると、観察者１００１に近い位置（表示面１００２の近い位置）に３次元立体像（１０８３）が表示される。
また、表示面１００２に表示する２次元画像（１０４１）の輝度を低くし、表示面１００３に表示する２次元画像（１０５１）の輝度を高くすると、観察者１００１から遠い位置（表示面１００３に近い位置）に３次元立体像（１０８１）が表示される。
さらに、表示面１００２に表示する２次元画像（１０４２）の輝度と、表示面１００３に表示する２次元画像（１０５２）の輝度を同じにすると、表示面１００２と表示面１００３の中間位置に３次元立体像（１０８２）が表示される。
【０００４】
なお、本願発明に関連する先行技術文献としては以下のものがある。
【特許文献１】特許第３０２２５５８号明細書
【発明の開示】
【発明が解決しようとする課題】
【０００５】
しかしながら、ＤＦＤ方式の３次元表示方法では、複数の表示面上の同じ平面的な位置に、輝度分配したそれぞれの２次元画像を重ねて表示するため、観察者の視線位置が多少ずれただけで、複数の２次元画像の重なりがずれてしまい、３次元立体像の画像品質が劣化し、連続的な奥行き位置表現が難しくなる。
このため、観察位置が小さな範囲に限定されるという課題があった。
本発明は、前記従来技術の問題点を解決するためになされたものであり、本発明の目的は、３次元立体像を表示する３次元表示物体において、観察者の視線位置がずれても、連続的な奥行き位置表現を可能にし、それによって観察位置の範囲を広くすることが可能な技術を提供することにある。
また、本発明の他の目的は、前記３次元表示物体に表示する２次元画像を生成する３次元画像作成装置および３次元画像作成方法を提供することにある。
また、本発明の他の目的は、前述の３次元画像作成方法をコンピュータに実行させるためのプログラムを提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
（１）第１の２次元画像と第２の２次元画像の２つの２次元画像を、任意の奥行き幅を持たせて重ねて表示することにより、３次元立体像を表示する３次元表示物体であって、観察者に近い第１の表示面に表示される前記第１の表示対象物の２次元画像は、前記第１の表示面と前記観察者から遠い第２の表示面との間の表示面間隔に比例した幅を持つ輪郭線領域１を有し、前記輪郭線領域１は、前記輪郭線領域１の内部の画像と前記輪郭線領域１との境界部分が前記輪郭線領域１の内部の画像の色と同じであり、かつ、外側に向かって単調に透明度が増加しており、前記第２の表示面に表示される前記第２の表示対象物の２次元画像は、前記表示面間隔に比例した幅と、前記表示面間隔と所定の視域角の正接の積に比例した幅の和の幅を持つ輪郭線領域２を有し、当該輪郭線領域２の色は、前記輪郭線領域１の内部の画像の色と等しいことを特徴とする。
【０００７】
（２）（１）に記載の３次元表示物体における、第１の表示面に表示される第１の２次元画像と第２の表示面に表示される第２の２次元画像とを作成する３次元画像作成装置であって、表示対象物の画像を取り込む図形画像データ入力手段と、前記第１の表示面と前記第２の表示面との間の表示面間隔と、表示する視域角とを入力して保持するデータ入力手段と、前記表示面間隔に比例した値を図形輪郭線幅とする図形輪郭線幅決定手段と、前記表示対象物の画像の輪郭線の幅を前記図形輪郭線幅とした、輪郭線領域１を有する画像を生成する図形画像生成手段１と、前記図形画像生成手段１で生成した前記画像の前記輪郭線領域１の透明度を外側に向かって単調に増加させた、輪郭線領域１にグラデーションを設けた画像を生成する図形画像生成手段２と、前記表示面間隔と前記視域角の正接の積に比例した値を、前記第１の２次元画像の画像サイズに対する前記第２の２次元画像の画像サイズのずれ幅とする図形幅ずれ幅決定手段と、前記図形画像生成手段１で生成した前記画像の輪郭線領域として、前記輪郭線領域１に前記図形幅ずれ幅決定手段で決定した前記ずれ幅を加えた輪郭線領域２を有し、かつ、前記輪郭線領域２の色を前記図形画像生成手段１で生成した前記画像の前記輪郭線領域１の内部の画像の色と等しくした、輪郭線領域２を有する画像を生成する図形画像生成手段３と、前記図形画像生成手段２で生成した前記輪郭線領域１にグラデーションを設けた画像を前記第１の２次元画像として出力し、前記図形画像生成手段３で生成した前記輪郭線領域２を有する画像を前記第２の２次元画像として出力する出力手段とを具備することを特徴とする。
【０００８】
（３）（１）に記載の３次元表示物体における、第１の表示面に表示される第１の２次元画像と第２の表示面に表示される第２の２次元画像とを作成する３次元画像作成方法であって、表示対象物の画像と、前記第１の表示面と前記第２の表示面との間の表示面間隔と、表示する視域角とを取り込んで保持する第１のステップと、前記表示面間隔に比例した値を図形輪郭線幅とする第２のステップと、前記表示対象物の画像の輪郭線の幅を前記図形輪郭線幅とした、輪郭線領域１を有する画像を生成する第３のステップと、前記第３のステップで生成した前記画像の輪郭線領域１の透明度を外側に向かって単調に増加させた、輪郭線領域１にグラデーションを設けた画像を生成する第４のステップと、前記第４のステップで生成した画像を、第１の２次元画像として出力する第５のステップと、前記表示面間隔と前記視域角の正接の積に比例した値を、前記第１の２次元画像の画像サイズに対する前記第２の２次元画像の画像サイズのずれ幅とする第６のステップと、前記第３のステップで生成した前記画像の輪郭線領域として、前記輪郭線領域１に前記第６のステップで決定した前記ずれ幅を加えた輪郭線領域２を有し、かつ、前記輪郭線領域２の色を前記第３のステップで生成した前記画像の前記輪郭線領域１の内部の画像の色と等しくした、輪郭線領域２を有する画像を生成する第７のステップと、前記第７のステップで生成した画像を、第２の２次元画像として出力する第８のステップとを有することを特徴とする。
（４）（３）に記載の３次元画像作成方法をコンピュータに実行させるためのプログラムである。
【発明の効果】
【０００９】
本願において開示される発明のうち代表的なものによって得られる効果を簡単に説明すれば、下記の通りである。
本発明によれば、観察者の視線位置がずれても、連続的な奥行き位置表現を可能にし、それによって観察位置の範囲を広くすることが可能となる。
【発明を実施するための最良の形態】
【００１０】
以下、図面を参照して本発明の実施例を詳細に説明する。
なお、実施例を説明するための全図において、同一機能を有するものは同一符号を付け、その繰り返しの説明は省略する。
図１は、本発明の実施例の３次元表示物体の概略構成を示す斜視図であり、図２は、本発明の実施例の３次元物体において、透明な板と表示対象物の図形の２次元画像を印刷した透明フィルムを貼り合わせる前の状態を上から見た図である。
図１、図２において、１は観察者、２は透明な板、１１，１２は透明な板２の前後の表面、３は表示対象物、２１，２２は透明な板２に張り合わせた表示対象物の２次元画像を印刷した透明フィルム、３１，３２はその透明フィルム（２１，２２）の表示面を示している。
本実施例の３次元表示物体は、表示対象物３として、３次元立体像の図形を表示させた構成であり、図２に示すように、表示対象物３の２次元画像を印刷した２枚の透明フィルム（２１，２２）を、厚みを持った透明な板２の前後の表面（１１、１２）に２次元画像の図形が重なるように貼り合わせた構成となっている。
本実施例は、後述するように、前面の透明フィルム２１に印刷した２次元画像の図形（本願発明の第１の表示面に表示される第１の表示対象物の２次元画像）のエッジをぼかし（本願発明のグラディーション）、後面の透明フィルム２２に印刷した２次元画像の図形（本願発明の第２の表示面に表示される第２の表示対象物の２次元画像）のエッジ領域を、前面の透明フィルム２１に印刷した２次元画像の図形よりも大きくすることを特徴とする。
本実施例では、３次元表示の表示対象物３を、観察者１が正面から観察しても、正面からずれた位置から観察しても、表示面（３１、３２）に表示した２次元画像の図形が連続的につながり、自然な３次元立体像の図形として認識される。
【００１１】
図３は、本発明の実施例の３次元画像作成装置の概略構成を示すブロック図であり、図１に示す３次元表示物体における、前面の透明フィルム２１に印刷した２次元画像と、後面の透明フィルム２２に印刷した２次元画像を生成する３次元画像作成装置の概略構成を示す図である。
図３に示すように、本実施例の３次元画像作成装置は、図形画像データ入力部１０１と、データ入力部１０２と、図形輪郭領域幅決定部１０３と、図形輪郭領域幅を変化させた図形画像生成部（以下、図形画像生成部１）１０５と、図形輪郭領域にグラデーションを設けた図形画像生成部（以下、図形画像生成部２）１０６と、前後表示面の図形幅の拡大幅決定部１０４と、図形幅を太くした図形画像生成部（以下、図形画像生成部３）１０７と、出力部１０８とで構成される。
図形輪郭領域幅決定部１０３は、データ入力部１０２から入力された前後の表示面の表示面間隔から図形輪郭領域の幅を決定する。
図形画像生成部１（１０５）は、図形画像データ入力部１０１から入力された図形画像の図形輪郭領域の幅を、図形輪郭領域幅決定部１０３で決定した図形輪郭領域の幅に設定した図形画像を作成する。
図形画像生成部２（１０６）は、図形画像生成部１（１０５）で作成された図形画像の図形輪郭領域にグラデーションを設けた図形画像を作成する。
作成した図形輪郭領域幅を変化させて、その輪郭線領域（本願発明の輪郭線領域１）にグラデーションを設けた図形画像は、前面表示用の２次元画像（本願発明の第１の表示面に表示される第１の２次元画像）として出力部１０８から出力される。
【００１２】
前後表示面の図形幅の拡大幅決定部１０４は、データ入力部１０２から入力された前後の表示面の表示面間隔、および視域角から、前面に表示する図形幅（本願発明の第１の表示面に表示される第１の表示対象物の２次元画像）に対して、後面に表示する図形幅（本願発明の第２の表示面に表示される第２の２次元画像）の拡大幅を決定する。
図形画像生成部３（１０７）は、図形画像生成部１（１０５）で作成された図形画像の図形輪郭領域幅に、前後表示面の図形幅の拡大幅決定部１０４で決定した後面に表示する図形幅の拡大幅を加え、図形と、輪郭線領域（本願発明の輪郭線領域２）を同一の色とした図形画像を作成する。
図形幅を太くした図形画像は後面表示用の２次元画像（本願発明の第２の表示面に表示される第２の表示対象物の２次元画像）として出力部１０８から出力される。
なお、出力部１０８から出力される前面表示用の２次元画像と、後面表示用の２次元画像とは、３次元立体像の表示位置に合わせて決定される割合に基づき、それぞれ透過度が設定される。
【００１３】
図４は、本発明の実施例の３次元画像作成方法の処理手順を示すフローチャートであり、図３に示す３次元画像作成装置において、入力図形画像と表示面の面間隔、視域角の入力データから図形輪郭領域にグラデーションを設けた図形画像、および図形幅を太くした図形画像を作成して、それぞれの２次元画像を出力するまでの手順を示すフローチャートである。
まず、入力図形画像を図形画像データ入力部１０１から取得する（ステップ１１１）。
次に、データ入力部１０２から入力した前後の表示面の表示面間隔（Ｙ）から図形輪郭領域幅（Ｘ）を、Ｘ＝０．３Ｙの式によって算出する。この式は、図５に示す、前後の表示面の面間隔に対する図形輪郭領域幅の関係から得ることができる。
ステップ１１１で入力した図形画像の図形輪郭領域を、ステップ１１２で算出して決定した図形輪郭幅に設定し、図形輪郭領域幅を変化させた図形画像を作成する（ステップ１１３）。
次に、ステップ１１２で変化させた図形輪郭領域幅において、その輪郭線領域（本願発明の輪郭線領域１）にグラデーションを設ける処理を行う（ステップ１１４）。グラデーションは、図形の輪郭線領域の内側から外側に向かって段階的に輪郭線領域の色の透明度を高くするが、図６に示す図形輪郭領域幅内における図形輪郭領域の色の透明度中間点の設定位置と図形の立体感の関係から、透明度の中間点を図形輪郭領域幅の３０〜６０％の位置に設定することで、図形画像を前後の表示面に奥行き方向に重ねて表示したときに自然な立体図形の表現が実現できる。
次に、ステップ１１４で、輪郭線領域にグラデーションを設ける処理を行った図形画像を前面表示用の２次元画像（本願発明の第１の表示面に表示される第１の２次元画像）として出力する（ステップ１１５）。
【００１４】
後面表示用の２次元画像を作成する場合は、まず、前後表示面の図形幅の拡大幅をデータ入力部１０２から入力した前後の表示面の表示面間隔（Ｙ）、視域角（θ）から算出する（ステップ１１６）。
図７に、視域角（θ）に対する前後の表示面の表示面間隔（Ｙ）と、前後面の図形幅の拡大幅（Ｚ）の関係、図８に、前後の表示面の表示面間隔（Ｙ）に対する視域角（θ）と、前後面の図形幅（Ｚ）の拡大幅の関係を示す。
図７、図８から前後面の図形幅の拡大幅（Ｚ）と前後の表示面の表示面間隔（Ｙ）、視域角（θ）の正接（ｔａｎθ）はそれぞれ比例関係にあり、Ｚ＝０．１Ｙｔａｎθの計算式によって、前後面の図形幅の拡大幅（Ｚ）を算出できる。
次に、ステップ１１６で算出した図形幅の拡大幅を、ステップ１１３で図形輪郭領域幅を変化させた図形画像の図形（図形平坦部分＋図形輪郭領域）幅に足すことにより、図形幅を太くした図形画像を作成する（ステップ１１７）。この時点では、図形の平坦部分と図形輪郭領域（本願発明の輪郭線領域２）の部分は、ステップ１１１の入力図形画像の図形と同じ色になっている。
ステップ１１７で図形幅を太くした図形画像を後面表示用の２次元画像（本願発明の第２の表示面に表示される第２の２次元画像）として出力する（ステップ１１８）。
なお、ステップ１１５で出力される前面表示用の２次元画像と、ステップ１１８で出力される後面表示用の２次元画像とは、３次元立体像の表示位置に合わせて決定される割合に基づき、それぞれ透過度が設定されている。
【００１５】
図９は、図４に示すフローチャートに従って作成した前後の表示面に表示される図形画像の一例を示す図である。
図中の透明フィルム２１は、前面表示用の図形画像、透明フィルム２２は、後面表示用の図形画像である。
透明フィルム２１に印刷した図形画像のＡ０は図形部分、Ａ１は透明度の中間点を図形輪郭領域幅の３０〜６０％の位置に設定したグラデーションを設けた図形輪郭領域部分（本願発明の輪郭線領域１）である。
透明フィルム２２に印刷した図形画像のＡ０’は図形部分、Ａ１’は図形輪郭領域を拡大した図形輪郭領域部分（本願発明の輪郭線領域２）である。
図１０は、図９に示す２次元画像を用いたときに、図１に示す３次元表示物体で観察者から観察される３次元立体像の図形を示す図である。
観察者１が、図１に示す３次元表示物体を正面から見たときに観察される３次元立体像の図形を図１０（ａ）に示す。実際には、透明フィルム（２１，２２）の表示面（３１、３２）には奥行き位置の差があり、また、透明な板２に貼り付けた透明フィルム２１に印刷されている図形画像の輪郭領域の透明度を段階的に高くしてグラデーションを設けることで、図形の３次元立体像が観察される。
また、図１に示す３次元表示物体を正面から表示面に向かって右にずれた位置から、観察者１が観察した様子を図１０（ｂ）に示す。
図１０（ｂ）に示すように、観察者１が、３次元表示物体の正面からずれた位置から観察した場合でも、透明な板２に貼り付けた透明フィルム２１に印刷されている２次元画像の図形の輪郭領域のグラデーション部分と、透明フィルム２２に印刷されている図形輪郭領域を拡大して図形幅を太くした図形画像とが奥行き方向に連続的につながり、自然な３次元立体像の図形として観察される。
このように、観察者１は頭を動かした状態でも３次元立体像の図形を観察できるため、運動視差による立体表現が可能である。
【００１６】
なお、本実施例では、透明な板２に透明フィルム（２１，２２）を張り合わせた構成を例に挙げて説明したが、透明な物（例えば、窓ガラス、グラス、容器）であれば表示可能である。また、３次元表示の表示対象物体として図形を例にとったが、文字、記号、マーク、ロゴでも表示可能である。
また、前述の説明では、図１に示す３次元表示物体について適用した例について説明したが、本発明は、前記観察者から見て異なった奥行き位置にある２つの２次元表示装置に、表示対象物体を観察者の視線方向から射影した２次元像を表示し、かつ、それぞれの表示装置に表示される２次元像の透過度を独立に変更して、３次元立体像を表示する３次元表示装置にも適用可能である。
なお、本発明の３次元画像作成装置は、コンピュータで実行することも可能である。この場合、本発明の３次元画像作成方法は、コンピュータ内のハードディスクなどに格納されるプログラムを、コンピュータが実行することにより行われる。そして、このプログラムは、ＣＤ−ＲＯＭ、あるいは、ネットワークを介したダウンロードにより供給される。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１７】
【図１】本発明の実施例の３次元表示物体の概略構成を示す斜視図である。
【図２】本発明の実施例の３次元物体において、透明な板と表示対象物の図形の２次元画像を印刷した透明フィルムを貼り合わせる前の状態を上から見た図である。
【図３】本発明の実施例の３次元画像作成装置の概略構成を示すブロック図である。
【図４】本発明の実施例の３次元画像作成方法の処理手順を示すフローチャートである。
【図５】前後の表示面の表示面間隔に対する図形輪郭領域幅の関係を示すグラフである。
【図６】図形輪郭領域幅における図形輪郭領域の色の透明度中間点の設定位置に対する図面の立体感を示すグラフである。
【図７】視域角に対する前後の表示面の表示面間隔と前後表示面の図形幅の拡大幅を示すグラフである。
【図８】前後の表示面の表示面間隔に対する視域角と前後表示面の図形幅の拡大幅を示すグラフである。
【図９】前面の透明フィルムと後面の透明フィルムに印刷する図形の２次元画像の一例を示す図である。
【図１０】図９に示す２次元画像を用いたときに、図１に示す３次元表示物体で観察者から観察される３次元立体像の図形を示す図である。
【図１１】ＤＦＤ方式の３次元表示方法の表示原理を説明するための図である。
【図１２】ＤＦＤ方式の３次元表示方法において、輝度の変化による３次元立体像の位置変化を示す図である。
【符号の説明】
【００１８】
１，１００１  観察者
２  透明な板
１１，１２  透明な板の前後の表面
３  表示対象物
２１，２２  透明フィルム
３１，３２  透明フィルムの表示面
１０１  図形画像データ入力部
１０２  データ入力部
１０３  図形輪郭領域幅決定部
１０４  前後表示面の図形幅の拡大幅決定部
１０５  図形輪郭領域幅を変化させた図形画像生成部（図形画像生成部１）
１０６  図形輪郭領域にグラデーションを設けた図形画像生成部（図形画像生成部２）
１０７  図形幅を太くした図形画像生成部（図形画像生成部３）
１０８  出力部
１００２，１００３  表示面
１００４，１００５，１０４１〜１０４３，１０５１〜１０５３  ２次元画像
１００８，１０８１〜１０８３  ３次元立体像
【図１】
2010128450.tif 000003
【図２】
2010128450.tif 000004
【図３】
2010128450.tif 000005
【図４】
2010128450.tif 000006
【図５】
2010128450.tif 000007
【図６】
2010128450.tif 000008
【図７】
2010128450.tif 000009
【図８】
2010128450.tif 000010
【図９】
2010128450.tif 000011
【図１０】
2010128450.tif 000012
【図１１】
2010128450.tif 000013
【図１２】
2010128450.tif 000014